(57)【要約】【課題】  限られた印字範囲内で記録されている番組の内容をユーザが把握するために適切な情報を選択して光記録媒体に画像形成できるようにする。【解決手段】  光記録媒体に光学的に情報の記録を行なう光記録装置５で光記録媒体にデータを記録するときは、当該記録するデータ又は記録装置１のデータから光記録を行なったデータの内容を推測しうる情報を取得する。そして、この内容を推測しうる情報をサーマル記録装置６で光記録媒体に形成された感熱記録媒体に画像形成する。【選択図】    図２
2005310241.tif 000002
【特許請求の範囲】
【請求項１】
光記録媒体に光学的に情報の記録を行なう光記録装置と、
前記光記録媒体に画像形成を行う画像形成装置と、
前記光記録装置で前記光記録媒体にデータを記録するときは当該記録するデータ又は本装置のデータから前記記録を行なったデータの内容を推測しうる情報を取得する手段と、
この内容を推測しうる情報を前記画像形成装置で前記光記録媒体に画像形成する手段と、
を備えている記録装置。
【請求項２】
前記情報を取得する手段は、前記内容を推測しうる情報として前記データのボリューム名を取得する、請求項１に記載の記録装置。
【請求項３】
前記情報を取得する手段は、前記内容を推測しうる情報として前記データのタイトルを取得する、請求項１又は２に記載の記録装置。
【請求項４】
前記情報を取得する手段は、前記記録するデータに含まれるファイルの拡張子に基づいて前記タイトルの取得を行なう、請求項３に記載の記録装置。
【請求項５】
前記情報を取得する手段は、前記ファイルが複数あるときは当該複数ファイルの中で最も多い拡張子に基づいて前記タイトルの取得を行なう、請求項４に記載の記録装置。
【請求項６】
前記情報を取得する手段は、前記内容を推測しうる情報として前記データのファイル名を取得する、請求項１〜５のいずれかの一に記載の記録装置。
【請求項７】
前記情報を取得する手段は、前記内容を推測しうる情報として前記データのフォルダ名を取得する、請求項１〜５のいずれかの一に記載の記録装置。
【請求項８】
前記情報を取得する手段は、前記フォルダが階層構造をなすときは、そのフォルダの階層構造を取得する、請求項７に記載の記録装置。
【請求項９】
前記フォルダの数に応じて前記画像形成するフォルダの階層の深さを制限する手段をさらに備えている、請求項７又は８に記載の記録装置。
【請求項１０】
ファイル数が多い前記フォルダ、階層構造が深い前記フォルダの順に前記画像形成を行う手段をさらに備えている、請求項７〜９のいずれかの一に記載の記録装置。
【請求項１１】
前記情報を取得する手段は、前記内容を推測しうる情報として前記データの記録後の前記光記録媒体の残容量を取得する、請求項１〜１０のいずれかの一に記載の記録装置。
【請求項１２】
前記情報を取得する手段は、前記内容を推測しうる情報として前記データの前記光記録媒体に対する最終記録日を取得する、請求項１〜１１のいずれかの一に記載の記録装置。
【請求項１３】
複数件のデータを前記光記録媒体に記録するときは、当該データの作成日付の新しい順に前記画像形成を行う手段をさらに備えている、請求項１〜１２のいずれかの一に記載の記録装置。
【請求項１４】
前記画像形成しようとする文字数からその画像形成に用いる文字サイズを選択する手段をさらに備えている、請求項１〜１３のいずれかの一に記載の記録装置。
【請求項１５】
前記光記録媒体の記録可能な容量のうち現在使用されている容量の大きさを図形で前記画像形成する手段をさらに備えている、請求項１〜１４のいずれかの一に記載の記録装置。
【請求項１６】
前記画像形成の実行の前に当該画像形成しようとする画像を表示装置にプレビュー表示する手段をさらに備えている、請求項１〜１５のいずれかの一に記載の記録装置。
【請求項１７】
光記録媒体に光学的に情報の記録を行なう光記録装置で前記光記録媒体にデータを記録するときは当該記録するデータ又は本プログラムが利用される装置のデータから前記記録を行なったデータの内容を推測しうる情報を取得する手段と、
この内容を推測しうる情報を画像形成装置で前記光記録媒体に画像形成する手段と、
をコンピュータに実行させるコンピュータに読み取り可能なプログラム。
【請求項１８】
前記情報を取得する手段は、前記内容を推測しうる情報として前記データのボリューム名を取得する、請求項１７に記載のプログラム。
【請求項１９】
前記情報を取得する手段は、前記内容を推測しうる情報として前記データのタイトルを取得する、請求項１７又は１８に記載のプログラム。
【請求項２０】
前記情報を取得する手段は、前記記録するデータに含まれるファイルの拡張子に基づいて前記タイトルの取得を行なう、請求項１９に記載のプログラム。
【請求項２１】
前記情報を取得する手段は、前記ファイルが複数あるときは当該複数ファイルの中で最も多い拡張子に基づいて前記タイトルの取得を行なう、請求項２０に記載のプログラム。
【請求項２２】
前記情報を取得する手段は、前記内容を推測しうる情報として前記データのファイル名を取得する、請求項１７〜２１のいずれかの一に記載のプログラム。
【請求項２３】
前記情報を取得する手段は、前記内容を推測しうる情報として前記データのフォルダ名を取得する、請求項１７〜２１のいずれかの一に記載のプログラム。
【請求項２４】
前記情報を取得する手段は、前記フォルダが階層構造をなすときは、そのフォルダの階層構造を取得する、請求項２３に記載のプログラム。
【請求項２５】
前記フォルダの数に応じて前記画像形成するフォルダの階層の深さを制限する手段をさらにコンピュータに実行させる、請求項２３又は２４に記載のプログラム。
【請求項２６】
ファイル数が多い前記フォルダ、階層構造が深い前記フォルダの順に前記画像形成を行う手段をさらにコンピュータに実行させる、請求項２３〜２５のいずれかの一に記載のプログラム。
【請求項２７】
前記情報を取得する手段は、前記内容を推測しうる情報として前記データの記録後の前記光記録媒体の残容量を取得する、請求項１７〜２６のいずれかの一に記載のプログラム。
【請求項２８】
前記情報を取得する手段は、前記内容を推測しうる情報として前記データの前記光記録媒体に対する最終記録日を取得する、請求項１７〜２７のいずれかの一に記載のプログラム。
【請求項２９】
複数件のデータを前記光記録媒体に記録するときは、当該データの作成日付の新しい順に前記画像形成を行う手段をさらにコンピュータに実行させる、請求項１７〜２８のいずれかの一に記載のプログラム。
【請求項３０】
前記画像形成しようとする文字数からその画像形成に用いる文字サイズを選択する手段をさらにコンピュータに実行させる、請求項１７〜２９のいずれかの一に記載のプログラム。
【請求項３１】
前記光記録媒体の記録可能な容量のうち現在使用されている容量の大きさを図形で前記画像形成する手段をさらにコンピュータに実行させる、請求項１７〜３０のいずれかの一に記載のプログラム。
【請求項３２】
前記画像形成の実行の前に当該画像形成しようとする画像を表示装置にプレビュー表示する手段をさらにコンピュータに実行させる、請求項１７〜３１のいずれかの一に記載のプログラム。
【請求項３３】
請求項１７〜３２のいずれかの一に記載のプログラムを記憶している、記憶媒体。
【発明の詳細な説明】
【技術分野】
【０００１】
本発明は、光学的に情報の記録が可能な記録装置、この記録装置を実現するためのプログラム、及びこのプログラムを記憶している記憶媒体に関する。
【背景技術】
【０００２】
熱により可視像の記録、消去を繰返すことができる感熱記録媒体、及びこの感熱記録媒体に画像の記録を行なう記録装置については、特許文献１に開示されている。
【０００３】
【特許文献１】特開平８−３１８６３４号公報
【発明の開示】
【発明が解決しようとする課題】
【０００４】
記録可能なＤＶＤ（Digital Versatile Disc）に、ＴＶ番組の画像やその他の大容量データをＤＶＤレコーダ、ＤＶＤドライブを備えたパソコンなどで記録することが広く行なわれている。このような記録を行なうユーザは、記録済みのＤＶＤが増えるとどのような内容のデータがどのＤＶＤに記録されているかがわからなくなってしまうため、ＤＶＤのレーベル面に記録データのタイトルを手書きするなどをして整理しておく必要がある。
【０００５】
しかし、このような作業は煩雑であるため、ＤＶＤレコーダ、パソコンが、記録するデータの内容を判断して自動でＤＶＤのレーベル面などに記録データの内容を判断できる情報（タイトルなど）を記録できるようにすれば、ユーザの便宜を図ることができる。
【０００６】
そこで、例えば、熱により可視像の記録、消去を繰返すことができる感熱記録媒体（サーマルリライタブル、ダイレクトサーマル）などの印字媒体をＤＶＤのレーベル面に形成し、ＤＶＤレコーダ、ＤＶＤドライブなどに印字媒体に文字や画像を印字できる記録装置を設けることが考えられる。
【０００７】
しかしながら、ＤＶＤのレーベル面は文字や画像を印字できる範囲が狭く、限られた印字範囲内でＤＶＤに記録されているデータをユーザが把握するために適切な情報を選択して印字する必要がある。
【０００８】
本発明の目的は、限られた印字範囲内で記録されている番組の内容をユーザが把握するために適切な情報を選択して光記録媒体に画像形成できるようにすることである。
【課題を解決するための手段】
【０００９】
本発明は、光記録媒体に光学的に情報の記録を行なう光記録装置と、前記光記録媒体に画像形成を行う画像形成装置と、前記光記録装置で前記光記録媒体にデータを記録するときは当該記録するデータ又は本装置のデータから前記記録を行なったデータの内容を推測しうる情報を取得する手段と、この内容を推測しうる情報を前記画像形成装置で前記光記録媒体に画像形成する手段と、を備えている記録装置である。
【００１０】
別の面から見た本発明は、光記録媒体に光学的に情報の記録を行なう光記録装置で前記光記録媒体にデータを記録するときは当該記録するデータ又は本プログラムが利用される装置のデータから前記記録を行なったデータの内容を推測しうる情報を取得する手段と、この内容を推測しうる情報を画像形成装置で前記光記録媒体に画像形成する手段と、をコンピュータに実行させるコンピュータに読み取り可能なプログラムである。
【発明の効果】
【００１１】
本発明によれば、光記録媒体に記録するデータや記録装置のデータから光記録媒体に記録したデータの内容を推測しうる情報を取得し、これを光記録媒体に画像形成するので、限られた印字範囲内で記録されている番組の内容をユーザが把握するために適切な情報を選択して光記録媒体に画像形成することができる。
【発明を実施するための最良の形態】
【００１２】
発明を実施するための最良の一形態について説明する。
【００１３】
図１は、本実施の形態の光記録媒体１０１のレーベル面側の平面図である。この光記録媒体１０１は、光学的に情報の記録を行なうことができるＣＤ（Compact Disc）、ＤＶＤ（Digital Versatile Disc）などである。具体的には、ＤＶＤ±Ｒなどの１回だけの情報の記録が行なえるものや、ＤＶＤ−ＲＡＭ、ＤＶＤ−ＲＷなどの情報の書き換え可能なものを用いることができる。光記録媒体１０１の光学的な情報の記録面は、図１に図示している面とは反対側の面に形成されている。
【００１４】
光記録媒体１０１のレーベル面１０２には、所定の記録方式で文字や画像を印字することができる印字媒体１０３が形成されている。この印字媒体１０３は、例えば、サーマルヘッドで加熱することにより加熱部分が発色して文字などの画像を印字できる感熱記録媒体を用いることができる。この印字媒体である感熱記録媒体１０３としては、一度だけ印字できるもの（ダイレクトサーマル）も、書き換え可能なもの（サーマルリライタブル）も適用することができる。
【００１５】
ダイレクトサーマル技術としては、例えば、支持体にＹ，Ｍ，Ｃ各色の記録層が重ねて形成され、サーマルヘッドと定着用ランプを用いて画像を印字する周知の直接感熱記録方式の感熱記録媒体を感熱記録媒体１０３として用いることができる。
【００１６】
また、サーマルヘッドの熱により可視像の記録、消去を繰返すことができるサーマルリライタブル技術の感熱記録媒体や、その記録装置についても周知である（必要であれば、特開平８−３１８６３４号公報を参照）。
【００１７】
次に、光記録媒体１０１で記録を行なう記録装置について説明する。
【００１８】
図２は、記録装置１の一構成例を説明するブロック図である。図２の記録装置１は、具体的には光ディスクドライブを備えたパーソナルコンピュータ（ＰＣ）などである。
【００１９】
図２の記録装置１は、各種演算を行ない、装置の各部を集中的に制御するＣＰＵ２１と、各種のＲＯＭ、ＲＡＭからなるメモリ２２とが、バス２３で接続されている。
【００２０】
バス２３には、所定のインターフェースを介して、ハードディスクなどの磁気記憶装置２４と、キーボード、マウスなどの入力装置２５と、表示装置２６とが接続され、また、ネットワーク１２と通信を行なう所定の通信制御装置２９が接続されている。なお、記憶媒体２７としては、ＣＤ，ＤＶＤなどの光ディスク、光磁気ディスク、フレキシブルディスクなどの各種メディアを用いることができる。また、記憶媒体読取装置２８は、具体的には記憶媒体２７の種類に応じて光ディスク装置、光磁気ディスク装置、フレキシブルディスク装置などが用いられる。
【００２１】
また、バス２３には光ディスクドライブ装置３１が接続されている。光ディスクドライブ装置３１には光記録装置５と、画像形成装置であるサーマル記録装置６とが搭載されている。なお、記憶媒体読取装置２８は、光ディスクドライブ装置３１が兼用していてもよい。光記録装置５は、光記録媒体１０１の光記録面に記録データをＤＶＤ±Ｒ、ＤＶＤ−ＲＡＭ、ＤＶＤ−ＲＷなどの方式で光記録する。サーマル記録装置６は、光記録媒体１０１の感熱記録媒体１０３にサーマルヘッドで文字や画像を印字する。
【００２２】
記録装置１は、記憶媒体２７から、プログラム３０を読み取って、磁気記憶装置２４にインストールする。これらのプログラム３０はインターネットなどのネットワーク１２等を介してダウンロードしてインストールするようにしてもよい。このインストールにより、後述するような処理を実行することが可能となる。すなわち、プログラム３０に基づいて記録装置１が実行する処理により、光ディスクドライブ装置３１を制御して、光記録媒体１０１への光記録や、その感熱記録媒体１０３への印字を実行する。また、光記録媒体１０１に記録されている動画像を再生して表示装置２６に表示する制御なども実行する。なお、プログラム３０は、所定のＯＳ上で動作するものであってもよい。
【００２３】
また、図２の記録装置１においては、光記録媒体１０１を、レーベル面１０２を上にして図示しないトレイに装填して装置内に収容すると、光記録媒体１０１の下側から光記録面に光記録装置５により光記録することができる。また、光記録媒体１０１の上側からは感熱記録媒体１０３にサーマル記録装置６で感熱記録を行なうことができる。
【００２４】
次に、図２の記録装置１が実行する特徴的な処理について説明する。
【００２５】
図３は、記録装置１が実行する処理の概略を説明するフローチャートである。まず、ユーザが所望のデータを光記録媒体１０１に光記録し、このデータ記録が終了したときに（ステップＳ１のＹ）、ステップＳ２以下の処理を実行する。すなわち、記録データの光記録が終了すると（ステップＳ１のＹ）、まず、光記録を行なった記録データから当該記録データの内容を推測しうる情報を取得する（ステップＳ２）。そして、この取得した情報を所定の形式の画像の画像データに変換する（ステップＳ３）。そして、この形式の画像データに基づいてサーマル記録装置６で感熱記録媒体１０３に画像形成を行なう（ステップＳ６）。その前に、ユーザから要求があったときは（ステップＳ４のＹ）、ステップＳ３で変換後の画像データによりステップＳ６で画像形成する場合の画像のイメージを表示装置２６にプレビュー表示する（ステップＳ５）。これにより、ユーザは形成画像のイメージを画像形成前に把握することができる。
【００２６】
このような記録を行う際に、光記録媒体１０１にあるデータを記録した後、別のデータを追記して記録する場合がある。この場合に、感熱記録媒体１０３がサーマル記録装置５で１回のみの記録しか行なえないときは、前回、感熱記録媒体１０３のどこまで記録したかを判定し、その記録部分以降に新たな番組の情報を記録する必要がある。
【００２７】
しかしながら、前回、感熱記録媒体１０３のどこまで記録したかを判断するのは煩雑である。そこで、感熱記録媒体１０３がサーマル記録装置５で書き換え可能であれば、前回の記録部分を消去し、前回のデータの分と今回のデータの分とを最初から記録しなおせばよいので、前回、感熱記録媒体１０３のどこまで記録したかを判断する必要はなくなる。
【００２８】
この場合に、光記録媒体１０１の光記録面に記録データなどの他に、感熱記録媒体１０３に記録する情報を記録したファイルも記録するようにすれば、前回記録したデータの感熱記録媒体１０３への記録情報についても当該ファイルを読み取ることで、前回のデータの分と今回のデータの分とを最初から記録しなおすのに便利である。しかし、このようなファイルを光記録媒体１０１の光記録面に記録することは必須ではない。すなわち、光記録媒体１０１には前回の記録データの情報自体が記録されているので、この記録データの情報から感熱記録媒体１０３に記録するのに必要な情報を読み取ることも可能であるからである。
【００２９】
なお、光記録媒体１０１に従前に記録した番組情報のファイルを記録装置１の各メーカで共通にし、異なるメーカの記録装置１に光記録媒体１０１を装填してもファイルの情報が正しく認識できるように規格統一するのが望ましい。
【００３０】
また、感熱記録媒体１０３を前述のように１回のみの記録（ライトワンス）として実施することもできるが、この場合の感熱記録媒体１０３への記録は、光記録媒体１０１であるＤＶＤ−ＲやＤＶＤ＋Ｒの光記録面への記録においてセッションをクローズする際に行なうことが考えられる。セッションクローズすることによって追記は不可能になるが、ＤＶＤプレーヤなどでの再生が可能になる。
【００３１】
次に、前述のステップＳ２以下の処理の詳細について説明する。
【００３２】
まず、記録データの内容を推測しうる情報を取得する処理（ステップＳ２）の詳細について説明する。取得する情報は以下のような内容であり、これが表示情報となる。
【００３３】
・ボリューム名
例えば、記録を行なった年月日時分のデータを記録装置１内の時計から読み取ってボリューム名とすることができる。
【００３４】
・タイトル
記録データの内容にタイトルを付与するには、例えば、その記録データのファイルに付されている拡張子から記録データの内容を推測し、その推測した内容をタイトルとすることが考えられる。例えば、拡張子が“ＪＰＧ”なら「静止画ファイル」、“ＭＰＧ”なら「動画ファイル」などである。ファイルが複数存在するときは、最も多い拡張子からタイトルを表示する。
【００３５】
・ファイル名、フォルダ名
フォルダが存在しないときはファイル名を表示し、フォルダ名が存在するときはファイル名を表示せずフォルダ名を表示する。フォルダが階層構造をなすときは、そのフォルダの階層構造を表示する。ただし、フォルダの数が多いときは感熱記録媒体１０３のスペース上の制限により全階層を表示することが困難となるので、フォルダの数が多くなるにしたがって表示する階層の深さを制限するようにする。
【００３６】
・残容量
当該光記録媒体１０１に記録可能な残容量の記録である。
【００３７】
・最終記録日
当該光記録媒体１０１に最後に記録を行なった年月日である。
【００３８】
ステップＳ２で取得した情報を所定の形式の画像の画像データに変換する処理（ステップＳ３）について説明する。すなわち、この処理では、以下のように表示するデータの取捨選択などを行なう。
【００３９】
（１）まず、複数件の記録データを光記録媒体１０１に記録するときは、作成日付の新しい順に感熱記録媒体１０３に記録する。
【００４０】
（２）光記録媒体１０１の感熱記録媒体１０３に画像形成できる範囲には限界があるので、印字しようとする文字数などから印字に用いる文字サイズを選択する。すなわち、印字しようとする文字数が多いほど小さな文字サイズを選択する。
【００４１】
（３）感熱記録媒体１０３に画像形成できる範囲には限界があるので、ファイル名、フォルダ名は所定の文字数までの表示として、それ以降の文字の表示を省略する。
【００４２】
（４）ファイル数が多いフォルダ、階層構造が深いフォルダの順に感熱記録媒体１０３に記録する。
【００４３】
（５）光記録媒体１０１の記録可能な容量のうち現在使用されている容量の大きさを図形で表示する。具体的には、棒グラフや円グラフなどで表示する。
【００４４】
図４は、図３の処理によりサーマル記録装置５で形成された感熱記録媒体１０３の画像の一例を示すものである。
【００４５】
図４の例では、ボリューム名が、記録を行なった年月日時分秒で記録され（符号２０１）、「ｄｏｃ」という拡張子のファイルが多かったため、タイトルとして「文書ファイル」が記録されている（符号２０２）。記録データは、２階層の階層構造のフォルダで構成されるので、この階層構造のフォルダが記録される（符号２０３）。光記録媒体１０１の使用容量と残容量とが棒グラフで記録される（符号２０４）。また、最終記録年月日も記録される（符号２０５）。
【図面の簡単な説明】
【００４６】
【図１】本発明の一実施の形態である光記録媒体の構成を説明する説明図である。
【図２】本発明の一実施の形態である記録装置の構成例を説明する説明図である。
【図３】記録装置の動作を説明するフローチャートである。
【図４】記録装置で光記録媒体に画像形成した一例の説明図である。
【符号の説明】
【００４７】
１  記録装置
５  光記録装置
６  画像形成装置
２７  記憶媒体
３０  プログラム
１０１  光記録媒体
１０３  感熱記録媒体
２０１  ボリューム名
２０２  タイトル
２０３  フォルダ
２０４  図形
【図１】
2005310241.tif 000003
【図２】
2005310241.tif 000004
【図３】
2005310241.tif 000005
【図４】
2005310241.tif 000006